(57)【要約】【課題】  例えば液晶装置等の電気光学装置において、イネーブル供給線及び画像信号線間の寄生容量を低減可能とし且つ高品質な表示を可能とする。【解決手段】  電気光学装置は、基板上に、複数の走査線に走査信号を供給して画素部の水平走査を行う走査線駆動部と、複数のデータ線に画像信号を供給するデータ線駆動部と、基板の辺に沿って配列された複数の外部回路接続端子と、複数の外部回路接続端子から夫々引き回されており、複数系列の第１イネーブル信号を供給する複数本の第１イネーブル供給線、一系列の第２イネーブル信号を供給する第２イネーブル供給線、及び画像信号をデータ線駆動部に供給する画像信号線を含む複数の引回配線とを備える。第２イネーブル供給線は、基板上で平面的に見て、外部回路接続端子からデータ線駆動部の一方の側方へ引き回されており、画像信号線は、外部回路接続端子からデータ線駆動部の他方の側方へ引き回されている。【選択図】  図３
2006220979.tif 000002
【特許請求の範囲】
【請求項１】
基板上に、
互いに交差して延びる複数のデータ線及び複数の走査線と、
前記データ線及び前記走査線に夫々電気的に接続され表示面を構成する複数の画素部と、
前記複数の走査線に走査信号を供給して前記画素部の水平走査を行う走査線駆動部と、
(i)所定周期のクロック信号に基づいて複数の段から夫々転送信号を順次出力するシフトレジスタ、(ii)前記順次出力された転送信号における各パルスのパルス幅を、複数系列の第１イネーブル信号の夫々が有する前記パルス幅よりも狭い第１のパルス幅に制限すると共に、前記第１のパルス幅に制限された各パルスのパルス幅を、一系列の第２イネーブル信号が有する前記第１のパルス幅よりも狭い第２のパルス幅に制限するパルス幅制限手段、及び(iii)前記第２のパルス幅に制限された各パルスのパルス幅に応じて、画像信号をサンプリングして前記複数のデータ線に供給するサンプリング手段を含むデータ線駆動部と、
前記基板の辺に沿って配列された複数の外部回路接続端子と、
前記複数の外部回路接続端子から夫々引き回されており、前記第１イネーブル信号を供給する第１イネーブル供給線、前記第２イネーブル信号を供給する第２イネーブル供給線、及び前記画像信号を供給する画像信号線を含む複数の引回配線と
を備えており、
前記第２イネーブル供給線は、前記基板上で平面的に見て、前記外部回路接続端子から前記辺の一端側に対応する前記データ線駆動部の一方の側方へ引き回されており、前記画像信号線は、前記外部回路接続端子から前記辺の他端側に対応する前記データ線駆動部の他方の側方へ引き回されていることを特徴とする電気光学装置。
【請求項２】
前記画像信号線は、前記複数の外部回路接続端子のうち、前記第２イネーブル供給線が接続されたイネーブル信号用端子よりも前記辺の他端側に寄った画像信号用端子に接続されると共に、前記第２イネーブル供給線と交差することなく引き回されていることを特徴とする請求項１に記載の電気光学装置。
【請求項３】
前記第１イネーブル供給線は、前記基板上で平面的に見て、前記一方の側方へ引き回されていることを特徴とする請求項１又は２に記載の電気光学装置。
【請求項４】
前記画像信号線は、前記複数の外部回路接続端子のうち、前記第１及び第２イネーブル供給線が接続されたイネーブル信号用端子よりも前記辺の他端側に寄った画像信号用端子に接続されると共に、前記第１及び第２イネーブル供給線と交差することなく引き回されていることを特徴とする請求項３に記載の電気光学装置。
【請求項５】
前記データ線駆動部は、前記基板上において前記複数の画素部が配列されてなる画像表示領域の周辺に位置する周辺領域のうち前記画像表示領域及び前記辺間に位置する領域において、前記辺に沿って配置されており、
前記第２イネーブル供給線は、前記一方の側方を介して、前記第１イネーブル供給線よりも前記データ線駆動部における前記画像表示領域に近い部分へ引き回されていることを特徴とする請求項３又は４に記載の電気光学装置。
【請求項６】
前記第１イネーブル供給線は、前記基板上で平面的に見て、前記画像信号線及び前記第２イネーブル供給線の間に配線されていることを特徴とする請求項１から５のいずれか一項に記載の電気光学装置。
【請求項７】
前記引回配線のうち前記第２イネーブル信号よりも低周波数の信号を供給する前記第１イネーブル供給線を除く低周波数配線のうちの少なくとも一本は、前記基板上で平面的に見て、前記画像信号線及び前記第１イネーブル供給線の間に配線されていることを特徴とする請求項６に記載の電気光学装置。
【請求項８】
前記引回配線のうち前記第２イネーブル信号よりも低周波数の信号を供給する前記第１イネーブル供給線を除く低周波数配線のうちの少なくとも一本は、前記基板上で平面的に見て、前記画像信号線及び前記第２イネーブル供給線の間に配線されていることを特徴とする請求項１から５のいずれか一項に記載の電気光学装置。
【請求項９】
前記低周波の信号は、電源信号であり、前記低周波数配線は、電源配線であることを特徴とする請求項７又は８に記載の電気光学装置。
【請求項１０】
前記低周波数配線、前記第１及び第２イネーブル供給線、並びに前記画像信号線は、前記外部回路接続端子から相互に交差することなく引き回されていることを特徴とする請求項７から９のいずれか一項に記載の電気光学装置。
【請求項１１】
前記第２イネーブル供給線の配線抵抗は、前記第１イネーブル供給線の配線抵抗以下であることを特徴とする請求項１から１０のいずれか一項に記載の電気光学装置。
【請求項１２】
請求項１から１１のいずれか一項に記載の電気光学装置を具備することを特徴とする電子機器。
【発明の詳細な説明】
【技術分野】
【０００１】
本発明は、例えば液晶装置等の電気光学装置、及び該電気光学装置を備えて構成される、例えば液晶プロジェクタ等の電子機器の技術分野に関する。
【背景技術】
【０００２】
この種の電気光学装置では、例えばその基板上に、データ線を駆動するためのデータ線駆動回路や走査線を駆動するための走査線駆動回路等が作り込まれる。即ち、この場合には、電気光学装置は、駆動回路内蔵型として構築される。その動作時には、データ線駆動回路は、画像信号線に供給される画像信号をサンプリングパルスのタイミングでサンプリングし、データ線に供給するように構成されている。ここで特に高い駆動周波数になると、サンプリングに用いられる時間的に相前後するサンプリングパルスの先端と後端とが僅かに重なってしまうため、相異なる時間にサンプリングされる筈の画像信号が部分的に重畳されてデータ線に供給されてしまう。この結果、解像度劣化やゴーストが発生する。
【０００３】
このため従来から、高い駆動周波数に追従して高精細な画像表示を実現するために、サンプリングパルスの各パルスを、順に選択される複数系列のイネーブル信号により夫々規定する技術がある。但し、サンプリングパルスの位相がずれると、やはり、相異なる時間にサンプリングされる筈の画像信号が重畳されてしまい、解像度劣化やゴーストが発生することがある。例えば特許文献１に記載された技術によれば、シフトレジスタ出力（一次クロック信号）を、二次クロック信号で整形してサンプリングパルスを生成し、サンプリングスイッチの開閉制御に用いる。この場合、サンプリングパルスのばらつきは、二次クロック信号のばらつき内に収められる。
【０００４】
【特許文献１】特開平８−２８６６４０号公報
【発明の開示】
【発明が解決しようとする課題】
【０００５】
しかしながら、サンプリングパルスの形状やパルス幅は、イネーブル信号の系列間誤差に起因して系列毎に異なる場合がある。その場合は、表示面に系列に対応した筋状の輝度斑が発生するおそれがあるが、特許文献１に記載されているような技術はこうした問題に十分に対応していない。駆動周波数が高くなる程、このようなイネーブル信号の系列間誤差の影響は相対的に増大するので、この問題は深刻さを増す。尚、以上の問題は液晶装置に限ったものではなく、他の電気光学装置であっても原理的に同様の問題が生じる可能性がある。
【０００６】
更に、イネーブル信号は、サンプリングパルスのパルス幅に制限を加えるというその性質上、一般に高周波の信号である。このため、画像信号を供給するための画像信号線と同一基板上に配線されるイネーブル供給線を介して、むやみにイネーブル信号を供給すると、イネーブル供給線及び画像信号線間の寄生容量或いは容量カップリングによって、イネーブル信号が画像信号に対するノイズ源となったり、逆に、画像信号がイネーブル信号のノイズ源となったりするという技術的問題点が生じる。
【０００７】
本発明は、例えば上記問題点に鑑みなされたものであり、高品質な表示を可能とする電気光学装置、及び該電気光学装置を備えた電子機器を提供することを課題とする。
【課題を解決するための手段】
【０００８】
本発明の電気光学装置は上記課題を解決するために、基板上に、互いに交差して延びる複数のデータ線及び複数の走査線と、前記データ線及び前記走査線に夫々電気的に接続され表示面を構成する複数の画素部と、前記複数の走査線に走査信号を供給して前記画素部の水平走査を行う走査線駆動部と、(i)所定周期のクロック信号に基づいて複数の段から夫々転送信号を順次出力するシフトレジスタ、(ii)前記順次出力された転送信号における各パルスのパルス幅を、複数系列の第１イネーブル信号の夫々が有する前記パルス幅よりも狭い第１のパルス幅に制限すると共に、前記第１のパルス幅に制限された各パルスのパルス幅を、一系列の第２イネーブル信号が有する前記第１のパルス幅よりも狭い第２のパルス幅に制限するパルス幅制限手段、及び(iii)前記第２のパルス幅に制限された各パルスのパルス幅に応じて、画像信号をサンプリングして前記複数のデータ線に供給するサンプリング手段を含むデータ線駆動部と、前記基板の辺に沿って配列された複数の外部回路接続端子と、前記複数の外部回路接続端子から夫々引き回されており、前記第１イネーブル信号を供給する第１イネーブル供給線、前記第２イネーブル信号を供給する第２イネーブル供給線、及び前記画像信号を供給する画像信号線を含む複数の引回配線とを備えており、前記第２イネーブル供給線は、前記基板上で平面的に見て、前記外部回路接続端子から前記辺の一端側に対応する前記データ線駆動部の一方の側方へ引き回されており、前記画像信号線は、前記外部回路接続端子から前記辺の他端側に対応する前記データ線駆動部の他方の側方へ引き回されている。
【０００９】
本発明の電気光学装置によれば、その動作時に、走査線駆動部による水平走査で選択された画素部列に、データ線駆動部からデータ線を通じて画像信号が供給され、データが書き込まれる。これらにより、複数の画素部における、アクティブマトリクス駆動等の所定種類の動作が可能となる。
【００１０】
この際、データ線駆動部では、シフトレジスタによって、転送信号が出力され、そのパルス幅が、パルス幅制限手段によって、先ず複数系列の第１イネーブル信号のパルス幅に制限され、更に一系列の第２イネーブル信号のパルス幅に制限される。これらにより、パルス幅が一定となるように制限された転送信号が、サンプリングパルスとして得られる。このサンプリングパルスに応じて、サンプリング手段によって、画像信号がサンプリングされ、サンプリングされた画像信号が対応するデータ線に入力される。尚、「サンプリングパルス」とは、画像信号線に供給される画像信号をデータ線に選択的に供給するためのサンプリングの際のタイミング制御用の信号であり、一般には、画像信号線とデータ線との間に設けた、サンプリング手段の一例たる、サンプリングスイッチの開閉を制御するように構成されている。また、シフトレジスタからの転送信号は各段から「順次」出力されるが、これは、各段から次々に出力される、といった意味であり、必ずしも、転送信号の時系列が各段の物理的な配列と対応している場合に限定されない。また、幾つかのサンプリングスイッチを一グループとして、同一サンプリングパルスにより同時開閉してもよい。
【００１１】
このような転送信号は、高周波化の常套手段として、本発明に係る「第１イネーブル信号」に相当する、複数系列のイネーブル信号によって整形される。即ち、転送信号のパルス幅は、より幅が狭い、複数系列のイネーブル信号のパルス幅によって制限される。ここで「複数系列」というのは、例えば同一構成又は異なる構成を有すると共に相互に独立して設けられる、複数のイネーブル信号生成回路や複数のイネーブル信号供給経路など、信号の発生起源又は供給経路が互いに異なっていることを指しており、最終的に重畳されて一つの連続信号として取り扱われる場合であっても、この概念に含まれる。そのような場合には、たとえ元々同一波形であることが意図されていても、回路素子の特性や素子や配線の電気的影響によって波形が僅かながら異なることがあり得る。複数系列のイネーブル信号は互いに独立した信号として取り扱うことができるため、一つの転送信号を時分割して複数の信号線に分配供給することができる。但し、仮にこのような複数系列のイネーブル信号を用いた波形整形のみでは、系列差に起因して表示上の不具合が生じるおそれがある。例えば、データ線駆動部では、イネーブル信号のパルス形状が画像信号に反映されるため、系列間でのパルス幅の違いが輝度差として顕在化し、表示品質を低下させることがある。具体的には、系列周期に対応する縦筋状の輝度斑となって現れる。
【００１２】
そこで、本発明の電気光学装置は、パルス幅制限手段において、転送信号を、このような複数系列の第１イネーブル信号による整形の後に、更に一系列の第２イネーブル信号で整形するように構成されている。この第２イネーブル信号は、例えば最終的な出力信号のパルス幅とパルス周波数とを備えている。ここで「一系列」というのは、発生起源又は供給経路が同一であることを指しており、そのような場合には、信号の各パルスの幅や間隔（即ち、周波数）、立ち上がり時及び立ち下がり時の歪み具合を含めた形状等はほぼ一定となる。少なくとも、複数系列の第１イネーブル信号と比べると、極めて顕著に同一系列の第２イネーブル信号におけるパルス幅等は均一になる。そのため、この整形により、転送信号における各パルスの幅は均一化される。即ち、先の整形段階で生じた転送信号のパルス幅の系列差による変動を、この整形段階で解消することが可能となる。
【００１３】
このように、複数系列の第１イネーブル信号と一系列の第２イネーブル信号を用い、転送信号に少なくとも２段階の整形を施すようにすれば、最終的にパルス幅一定の信号を得ることが可能である。或いは、このような２段階の整形を施すようにすれば、１段目の複数系列の第１イネーブル信号のみを用いて波形整形をおこなった場合と比較して、最終的に出力される、サンプリングパルス等の転送信号におけるパルス幅を、格段に一定にできると言える。即ち、本発明においては、少なくとも以上に説明した２段階の整形が必要であるが、例えば同様の整形工程を更に行うことも可能である。但し、その場合には、一系列の第２イネーブル信号による整形工程を必ず最後に入れるようにする必要がある。
【００１４】
データ線駆動部では、以上のように２段階でパルス幅が整形された転送信号に応じて、即ち、この信号をサンプリングパルスとして、画像信号のサンプリングが行われることから、データ線に供給される画像信号は、パルス幅が一定化される。この際、転送信号の処理に際して複数系列の第１イネーブル信号を用いながらも、これらの系列差に起因する輝度斑を殆ど又は実践上全く生じさせないで済む。
【００１５】
本発明では特に、一系列の第２イネーブル信号のパルス幅（即ち、「第２のパルス幅」）は、パルス幅を複数系列の第１イネーブル信号のパルス幅（即ち、「第１のパルス幅」）で制限された転送信号を整形することから、複数系列の第２イネーブル信号のパルス幅よりも小さい。更に言えば、第２イネーブル信号は、例えば最終的なサンプリングパルスとしての整形後の転送信号と同一の周波数を備えている。即ち、第２イネーブル信号の周波数は、第１イネーブル信号や、その他の電源信号、各種制御信号などの低周波数の信号と比べて、かなり高い。従って、本発明に係る上述の如き第１及び第２イネーブル信号を利用した構成の場合には、伝統的な第１イネーブル信号に相当するイネーブル信号のみを利用する構成と比較して、第２イネーブル供給線及び画像信号線間における寄生容量或いは容量カップリングによって、高周波数である第２イネーブル信号が、同じく一般に高周波数である画像信号に対するノイズ源として顕在化する恐れが非常に高い。或いは、高周波数である画像信号が、同じく高周波数である第２イネーブル信号に対するノイズ源として顕在化する恐れも非常に高い。そして、第１イネーブル信号は、複数本の第１イネーブル供給線から供給され、第２イネーブル信号は、１本の第１イネーブル供給線から供給され、画像信号は、通常はそのシリアル−パラレル変換数或いは相展開数に等しい複数の画像信号線から供給される。そして、これらを含む引回し配線は、限られた基板上の領域に近接して引き回されているので、配線が相互に接近する個所や、配線が交差する個所において、上述の如き、第２イネーブル信号がノイズ源として顕在化する等のおそれが本質的に非常に高い。
【００１６】
しかるに本発明によれば、第２イネーブル供給線は、平面的に見て、外部回路接続端子から基板の辺（例えば、外部回路接続端子が配列された一辺）の一端側に対応するデータ線駆動部の一方の側方（例えば、平面図で見て右側方）へ引き回されている。これに対して、画像信号線は、外部回路接続端子から基板の辺の他端側に対応するデータ線駆動部の他方の側方（例えば、平面図で見て左側方）へ引き回されている。従って、第２イネーブル供給線及び画像信号線間の寄生容量を低減すること、或いは殆ど又実践上全く無くすことが可能となる。従って、第２イネーブル信号が画像信号に対するノイズ源となる事態や、画像信号が第２イネーブル信号に対するノイズ源となる事態を効果的に未然防止することが可能となる。
【００１７】
以上の結果、本発明の電気光学装置によれば、イネーブル信号を極めて有効に利用しつつ、その欠点を極めて顕著に抑制することによって、最終的には、高品位の画像を表示可能となる。
【００１８】
本発明の電気光学装置の一態様では、前記画像信号線は、前記複数の外部回路接続端子のうち、前記第２イネーブル供給線が接続されたイネーブル信号用端子よりも前記辺の他端側に寄った画像信号用端子に接続されると共に、前記第２イネーブル供給線と交差することなく引き回されている。
【００１９】
この態様によれば、画像信号線は、外部回路接続端子からデータ線駆動部に至るまで、第２イネーブル供給線と交差せずに引き回されているので、比較的簡単な構成により、両配線間における寄生容量を極力低減することが可能となる。更に、画像信号線及び第２イネーブル供給線を夫々、不必要に長くしないで済み、それらの配線抵抗を下げることにも繋がる。
【００２０】
本発明の電気光学装置の他の態様では、前記第１イネーブル供給線は、前記基板上で平面的に見て、前記一方の側方へ引き回されている。
【００２１】
この態様によれば、第１イネーブル供給線は、第２イネーブル供給線の場合と同様に、平面的に見て、外部回路接続端子から基板の辺（例えば、外部回路接続端子が配列された一辺）の一端側に対応するデータ線駆動部の一方の側方（例えば、平面図で見て右側方）へ引き回されている。従って、第１イネーブル供給線及び画像信号線間の寄生容量を低減すること、或いは殆ど又実践上全く無くすことが可能となる。従って、第１イネーブル信号が画像信号に対するノイズ源となる事態や、画像信号が第１イネーブル信号に対するノイズ源となる事態を効果的に未然防止することが可能となる。
【００２２】
この態様では、前記画像信号線は、前記複数の外部回路接続端子のうち、前記第１及び第２イネーブル供給線が接続されたイネーブル信号用端子よりも前記辺の他端側に寄った画像信号用端子に接続されると共に、前記第１及び第２イネーブル供給線と交差することなく引き回されているように構成してもよい。
【００２３】
このように構成すれば、画像信号線は、外部回路接続端子からデータ線駆動部に至るまで、第１及び第２イネーブル供給線のいずれとも交差せずに引き回されているので、比較的簡単な構成により、これらの配線間における寄生容量を極力低減することが可能となる。更に、画像信号線、並びに第１及び第２イネーブル供給線を夫々、不必要に長くしないで済み、それらの配線抵抗を下げることにも繋がる。
【００２４】
上述した第１イネーブル供給線が一方の側方へ引き回されている態様では、前記データ線駆動部は、前記基板上において前記複数の画素部が配列されてなる画像表示領域の周辺に位置する周辺領域のうち前記画像表示領域及び前記辺間に位置する領域において、前記辺に沿って配置されており、前記第２イネーブル供給線は、前記一方の側方を介して、前記第１イネーブル供給線よりも前記データ線駆動部における前記画像表示領域に近い部分へ引き回されているように構成してもよい。
【００２５】
このように構成すれば、第２イネーブル供給線を、外部回路接続端子から、周辺領域に基板の辺に沿って配置されたデータ線駆動部における第１イネーブル供給線よりも後段側にまで、画像信号と交差しないように引き回すことが可能となる。よって、データ線駆動部において、サンプリング手段をデータ線が配線された画像表示領域に近い側に設け、第２イネーブル信号により制限をかける個所を第１イネーブル信号により制限をかける個所よりも画像表示領域或いはサンプリング手段に近い側に設けるという構成を採用すれば、引回配線について極めて効率的な平面レイアウトを実現できる。
【００２６】
本発明の電気光学装置の他の態様では、前記第１イネーブル供給線は、前記基板上で平面的に見て、前記画像信号線及び前記第２イネーブル供給線の間に配線されている。
【００２７】
この態様によれば、複数本ある第１イネーブル供給線の存在により、第２イネーブル供給線及び画像信号線間における、基板面に沿った平面距離を長くすることができる。これにより、第２イネーブル供給線及び画像信号線間における寄生容量を低減できる。しかも、第１イネーブル信号は、第２イネーブル信号に比べて低周波数であるので、導電体である第１イネーブル供給線を、第２イネーブル供給線及び画像信号線間における一種の電磁シールドとして機能させることも可能であり、両者間で信号がノイズとして悪影響を及ぼしあう事態を一層効果的に防止可能となる。
【００２８】
この態様では、前記引回配線のうち前記第２イネーブル信号よりも低周波数の信号を供給する前記第１イネーブル供給線を除く低周波数配線のうちの少なくとも一本は、前記基板上で平面的に見て、前記画像信号線及び前記第１イネーブル供給線の間に配線されているように構成してもよい。
【００２９】
このように構成すれば、複数本の第１イネーブル供給線に加えて、一本又は複数本ある低周波数配線の存在により、第２イネーブル供給線及び画像信号線間における、基板面に沿った平面距離を長くすることができる。ここに本発明に係る「低周波数配線」は、例えば一定電位や複数電位に振られる各種電源を供給するための電源配線、データ線駆動部、走査線駆動部等を制御するための各種制御信号を供給するための制御配線などである。いずれにせよ、低周波数配線により供給される信号は、第２イネーブル信号よりも低周波数であり、例えばクロック信号のように高周波数ではない。第１イネーブル供給線に加えて、このような低周波数配線の存在により、第２イネーブル供給線及び画像信号線間における寄生容量を低減できる。しかも、低周波数配線を第１イネーブル供給線と共に、第２イネーブル供給線及び画像信号線間における一種の電磁シールドとして機能させることも可能であり、第２イネーブル供給線及び画像信号線間で信号がノイズとして悪影響を及ぼしあう事態を一層効果的に防止可能となる。
【００３０】
或いは本発明の電気光学装置の他の態様では、前記引回配線のうち前記第２イネーブル信号よりも低周波数の信号を供給する前記第１イネーブル供給線を除く低周波数配線のうちの少なくとも一本は、前記基板上で平面的に見て、前記画像信号線及び前記第２イネーブル供給線の間に配線されている。
【００３１】
この態様によれば、一本又は複数本ある低周波数配線の存在により、第２イネーブル供給線及び画像信号線間における、基板面に沿った平面距離を長くすることができる。このような低周波数配線の存在により、第２イネーブル供給線及び画像信号線間における寄生容量を低減できる。しかも、低周波数配線を、第２イネーブル供給線及び画像信号線間における一種の電磁シールドとして機能させることも可能であり、両者間で信号がノイズとして悪影響を及ぼしあう事態を一層効果的に防止可能となる。
【００３２】
上述した低周波数配線に係る態様では、前記低周波の信号は、電源信号であり、前記低周波数配線は、電源配線であるように構成してもよい。
【００３３】
このように構成すれば、安定した所定電位にある低周波数配線を、第２イネーブル供給線及び画像信号線間における電磁シールドとして極めて有効に機能させることが可能となる。
【００３４】
上述した低周波数配線に係る態様では、前記低周波数配線、前記第１及び第２イネーブル供給線、並びに前記画像信号線は、前記外部回路接続端子から相互に交差することなく引き回されているように構成してもよい。
【００３５】
このように構成すれば、外部回路接続端子からデータ線駆動部に至るまで、各種配線が相互に交差せずに引き回されているので、比較的簡単な構成により、画像信号線上の画像信号に対して、他の配線との寄生容量による悪影響が及ぶのを効果的に阻止できる。
【００３６】
本発明の電気光学装置の他の態様では、前記第２イネーブル供給線の配線抵抗は、前記第１イネーブル供給線の配線抵抗以下である。
【００３７】
この態様によれば、第１イネーブル信号に比べて高周波数である第２イネーブル信号を供給するための第２イネーブル供給線については、第１イネーブル供給線よりも低抵抗に構成されている。このため、高周波数であるが故に、信号遅延や信号なまりの悪影響が顕在化し易い第２イネーブル信号における該信号遅延や信号なまりを相対的に低減することが可能となる。尚、この態様では、第１及び第２イネーブル供給線は、基板上に形成された同一の導電層から形成されていてもよく、この場合には例えば、第２イネーブル供給線の配線幅を、第１イネーブル供給線のそれより太くしてもよい。或いは、第１及び第２イネーブル供給線は、基板上に形成された相異なる導電層から形成されていてもよく、この場合には例えば、第２イネーブル供給線の厚みを、第１イネーブル供給線のそれより厚くしてもよい。更に、このような第１及び第２イネーブル供給線を形成する導電層は、一方のみが又は両方共に、単一層構造を有してもよいし、多層構造を有してもよい。
【００３８】
本発明の電子機器は上記課題を解決するために、上述した本発明の電気光学装置（但し、その各種態様も含む）を具備する。
【００３９】
本発明の電子機器は、上述した本発明の電気光学装置を具備してなるので、高品位の画像を表示可能な、テレビ、携帯電話、電子手帳、ワードプロセッサ、ビューファインダ型又はモニタ直視型のビデオテープレコーダ、ワークステーション、テレビ電話、ＰＯＳ端末、タッチパネルなど、更には電気光学装置を露光用ヘッドとして用いたプリンタ、コピー、ファクシミリ等の画像形成装置など、各種電子機器を実現できる。また、本発明の電子機器として、例えば、電子ペーパなどの電気泳動装置、電子放出装置（Field Emission Display及びConduction Electron-Emitter Display）等を実現することも可能である。
【００４０】
本発明のこのような作用及び他の利得は次に説明する実施の形態から明らかにされる。
【発明を実施するための最良の形態】
【００４１】
（第１実施形態）
本発明の第１実施形態について図１から図６を参照しつつ説明する。以下の実施形態は、
本発明の電気光学装置を液晶装置に適用したものである。
【００４２】
＜液晶装置の構成＞
先ず、本実施形態における液晶装置の全体構成について、図１及び図２を参照して説明する。図１は、対向基板側から見た液晶装置の平面図であり、図２は、図１のＨ−Ｈ’断面図である。
【００４３】
図１及び図２において、液晶装置は、対向配置されたＴＦＴアレイ基板１０と対向基板２０とから構成されている。ＴＦＴアレイ基板１０と対向基板２０との間には液晶層５０が封入されており、ＴＦＴアレイ基板１０と対向基板２０とは、画像表示領域１０ａの周囲に位置するシール領域に設けられたシール材５２により相互に接着されている。シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４４】
ＴＦＴアレイ基板１０上における、画像表示領域１０ａの周辺に位置する周辺領域では、データ線駆動回路１０１及び外部回路接続端子１０２が、ＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ額縁遮光膜５３に覆われるようにして複数の配線１０５が設けられている。また、ＴＦＴアレイ基板１０及び対向基板２０の間には、両基板間の電気的導通を確保するための上下導通端子１０６が配置されている。
【００４５】
図２において、ＴＦＴアレイ基板１０上には、画素スイッチング用ＴＦＴや各種配線等の上に画素電極９ａが、更にその上から配向膜が形成されている。他方、対向基板２０上の画像表示領域１０ａには、液晶層５０を介して複数の画素電極９ａと対向する対向電極２１が形成されている。即ち、夫々に電圧が印加されることで、画素電極９ａと対向電極２１との間には液晶保持容量が形成される。この対向電極２１上には、格子状又はストライプ状の遮光膜２３が形成され、更にその上を配向膜が覆っている。液晶層５０は、例えば一種又は数種類のネマティック液晶を混合した液晶からなり、これら一対の配向膜間で、所定の配向状態をとる。
【００４６】
データ線駆動回路１０１は、後に詳述するように、シフトレジスタ、論理回路及びサンプリング回路を含んで構成されているが、このうち例えばサンプリング回路については、図１中で額縁領域５３に覆われる額縁領域内に配置されていてもよい。
【００４７】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。また、対向基板２０の投射光が入射する側及びＴＦＴアレイ基板１０の出射光が出射する側には各々、例えば、ＴＮ（ツイステッドネマティック）モード、ＳＴＮ（スーパーＴＮ）モード、Ｄ−ＳＴＮ（ダブル−ＳＴＮ）モード等の動作モードや、ノーマリーホワイトモード／ノーマリーブラックモードの別に応じて、偏光フィルム、位相差フィルム、偏光板などが所定の方向で配置される。以上が、この液晶装置の構成の概要である。
【００４８】
次に、この液晶装置の主要な構成について図３から図５を参照して説明する。ここに、図３は、当該液晶装置の要部の構成を示している。図４は、図３に示した構成のうち転送信号の整形に関する回路系を表している。図５は、変形例に係る図４と同趣旨の図である。
【００４９】
図３において、液晶装置は、例えば石英基板、ガラス基板或いはシリコン基板等からなるＴＦＴアレイ基板１０と対向基板２０（ここでは図示せず）とが液晶層を介して対向配置され、画像表示領域１０ａにおいて区画配列された画素電極９ａに印加する電圧を制御し、液晶層にかかる電界を画素毎に変調する構成となっている。これにより、両基板間の透過光量が制御され、画像が階調表示される。この液晶装置はＴＦＴアクティブマトリクス駆動方式を採り、ＴＦＴアレイ基板１０における画素表示領域１０ａには、マトリクス状に配置された複数の画素電極９ａと、互いに交差して配列された複数の走査線２及びデータ線３とが形成され、画素に対応する画素部が構築されている。尚、ここでは図示しないが、各画素電極９ａとデータ線３との間には、走査線２を介して夫々供給される走査信号に応じて導通、非導通が制御されるＴＦＴや、画素電極９ａに印加した電圧を維持するための蓄積容量が形成されている。また、画像表示領域１０ａの周辺領域には、データ線駆動回路１０１等の駆動回路、外部回路接続端子１０２が形成されている。
【００５０】
データ線駆動回路１０１は、シフトレジスタ５１、論理回路５５及びサンプリング回路７からなる。シフトレジスタ５１は、データ線駆動回路１０１内に入力される所定周期のＸ側クロック信号ＣＬＸ（及びその反転信号ＣＬＸＢ）及びシフトレジスタスタート信号ＤＸに基づいて、各段から転送信号Ｐｉ（ｉ＝１、…、ｎ）を順次出力するように構成されている。
【００５１】
論理回路５５は、本発明の「パルス幅制限手段」の一具体例であり、転送信号Ｐｉ（ｉ＝１、…、ｎ）をイネーブル信号に基づいて整形し、それを基にして最終的にサンプリング回路駆動信号Ｓｉ（ｉ＝１、…、ｎ）を出力する機能を有している。
【００５２】
図４において、論理回路５５はＡＮＤ回路５５Ａ、ＯＲ回路５５Ｄ及びＡＮＤ回路５５Ｂの３段で構成されている。ＡＮＤ回路５５Ａは、シフトレジスタ５１から入力される転送信号Ｐｉ（ｉ＝１、…、ｎ）と、４本のイネーブル供給線８１の夫々から供給されるイネーブル信号ＥＮＢ１〜ＥＮＢ４のうちの一つとの論理積を、一次整形信号Ｑｉ（ｉ＝１、…、ｎ）として出力するように構成されている。ＯＲ回路５５Ｄは、ＡＮＤ回路５５Ａの後段、かつ、ＡＮＤ回路５５Ｂの前段に設けられており、ＡＮＤ回路５５Ａの出力、及び、プリチャージタイミング信号供給線８３からプリチャージタイミング信号ＮＲＧ（Noise Reduction Gate）が入力されるように構成され、これらの信号の少なくとも一方が入力されたときに“Ｈｉｇｈ"を出力する。プリチャージタイミング信号ＮＲＧは外部回路接続端子１０２を介して、ＴＦＴアレイ基板１０の外部から供給される。ＡＮＤ回路５５Ｂは、ＯＲ回路５５Ｄの後段に設けられ、一次整形信号Ｑｉ（ｉ＝１、…、ｎ）と本発明の「第２イネーブル供給線」の一例としてのマスターイネーブル供給線９２から供給されるマスターイネーブル信号Ｍ−ＥＮＢとの論理積をサンプリング回路駆動信号Ｓｉ（ｉ＝１、…、ｎ）として出力するように構成されている。論理積を求めることにより、転送信号Ｐｉ（ｉ＝１、…、ｎ）や一次整形信号Ｑｉ（ｉ＝１、…、ｎ）の波形は、よりパルス幅の狭いイネーブル信号ＥＮＢ１〜ＥＮＢ４やマスターイネーブル信号Ｍ−ＥＮＢの波形に基づいてトリミングされ、パルス幅がイネーブル信号のパルス幅に制限される。ここで、イネーブル信号ＥＮＢ１〜ＥＮＢ４は、本発明に係る「複数系列の第１イネーブル信号」の一例であり、マスターイネーブル信号Ｍ−ＥＮＢは、本発明に係る「一系列の第２イネーブル信号」の一例である。
【００５３】
サンプリング回路７は、画像信号線６に供給される画像信号ＶＩＤを、基準クロック信号であるサンプリング回路駆動信号Ｓｉ（ｉ＝１、…、ｎ）に応じてサンプリングし、夫々をデータ信号としてデータ線３に印加する。サンプリング回路７は、例えば図４に示したように、Ｐチャネル型又はＮチャネル型の片チャネル型ＴＦＴ若しくは相補型のＴＦＴから構成されたサンプリングスイッチ７１からなる。
【００５４】
尚、ここでは説明の簡便のために画像信号線６は一本とし、いずれのサンプリングスイッチ７１もこの画像信号線６から画像信号ＶＩＤを供給されるようにしたが、画像信号は、シリアル−パラレル展開（即ち、相展開）されていてもよい。図５に変形例として示すように、画像信号を画像信号ＶＩＤ１〜ＶＩＤ６の６相にシリアル−パラレル展開した場合、これらの画像信号は、６本の画像信号線を夫々介してサンプリング回路７に入力される。複数の画像信号線に対し、シリアルな画像信号を変換して得たパラレルな画像信号を同時供給すると、データ線３への画像信号入力をグループ毎に行うことができ、駆動周波数が抑えられる。
【００５５】
走査線駆動回路１０４は、マトリクス状に配置された複数の画素電極９ａをデータ信号及び走査信号により走査線２の配列方向に走査するために、走査信号印加の基準クロックであるＹ側クロック信号ＣＬＹ（及びその反転信号ＣＬＹＢ）及びシフトレジスタスタート信号ＤＹに基づいて生成される走査信号を、複数の走査線２に順次印加するように構成されている。その際には、各走査線２には、両端から同時に電圧が印加される。
【００５６】
尚、クロック信号ＣＬＸ等の各種タイミング信号は、図示しないタイミングジェネレータにて生成され、ＴＦＴアレイ基板１０上の各回路に供給される。また、各駆動回路の駆動に必要な電源電圧ＶＤＤＸ、ＶＤＤＹ等もまた外部回路から供給される。更に、上下導通端子１０６から引き出された信号線には、外部回路から対向電極電位ＬＣＣが供給される。対向電極電位ＬＣＣは、上下導通端子１０６を介して対向電極２１に供給される。対向電極電位ＬＣＣは、画素電極９ａとの電位差を適正に保持して液晶保持容量を形成するための対向電極２１の基準電位となる。
【００５７】
＜液晶装置の駆動方法＞
次に、この液晶装置の動作、特に転送信号Ｐｉ（ｉ＝１、…、ｎ）をサンプリング回路駆動信号Ｓｉ（ｉ＝１、…、ｎ）に整形する過程について図３から図６を参照して説明する。図６は、図４に示した駆動系における各種信号のタイミングチャートである。
【００５８】
図６のタイミングチャートに示したように、データ線駆動回路１０１では、先ずシフトレジスタ５１から、所定周期のＸ側クロック信号ＣＬＸ（及びその反転信号ＣＬＸＢ）及びシフトレジスタスタート信号ＤＸに基づいて、転送信号Ｐｉ（ｉ＝１、…、ｎ）がＰ１、Ｐ２、…と順に出力される。転送信号Ｐｉ（ｉ＝１、…、ｎ）の夫々は、ＡＮＤ回路５５Ａにおいて、イネーブル信号ＥＮＢ１〜ＥＮＢ４のいずれかとの論理積をとることによって、そのパルス幅がイネーブル信号ＥＮＢ１〜ＥＮＢ４のパルス幅ｄ１に制限される（即ち、イネーブル信号ＥＮＢ１〜ＥＮＢ４によって整形される）。ここで、パルス幅ｄ１は、本発明に係る「第１のパルス幅」の一例である。転送信号Ｐｉ（ｉ＝１、…、ｎ）は、シフトレジスタ５１に入力されるクロック信号ＣＬＸ等に応じて出力されることから、その高周波化にはクロック周期による制限のために一定の限界があるが、このように論理回路５５にてイネーブル信号との論理積をとることでパルス幅を制限すれば、狭小化することができる。
【００５９】
ＡＮＤ回路５５Ａの各出力は、ここで一次整形信号Ｑｉ（ｉ＝１、…、ｎ）とされる。ここで、イネーブル信号ＥＮＢ１〜ＥＮＢ４は夫々系列の異なる信号であるために、波形が完全に揃わない場合が考えられる。そのような場合、一次整形信号Ｑｉ（ｉ＝１、…、ｎ）内に他のパルスと比べて幅が異なるパルスが混在することになる。例えば、図６に示したように、イネーブル信号ＥＮＢ３が、基準とするパルス幅ｄ１よりも広いパルス幅ｄ１’を有するとき、対応する一次整形信号Ｑ３のパルス幅もまたパルス幅ｄ１’となる。
【００６０】
プリチャージタイミング信号ＮＲＧは、画像信号ＶＩＤのサンプリング期間に先立つプリチャージ期間を規定し、ＯＲ回路５５Ｄに一斉に供給される。その間、ＡＮＤ回路５５Ｂには、イネーブル供給線８２を介してプリチャージタイミング信号ＮＲＧと同様の信号が入力される。従って、プリチャージタイミング信号ＮＲＧの入力期間には、全てのサンプリングスイッチ７１が同時に導通し、全データ線３が一斉に画素信号線６に接続された導通状態とされる。論理回路５５は、プリチャージタイミング信号ＮＲＧの入力期間には、全てのサンプリングスイッチ７１が同時に導通し、全データ線３が一斉に画素信号線６に接続された導通状態とされるように動作する。このとき、データ線３は、プリチャージ期間において画像信号線６から画像信号の供給を受けるようにされてもよいし、画像信号の電位とは別の所定電位に接続されてもよい。或いは、画像信号線６により導通状態とされるのみで、画像信号線６から信号の供給は受けないようにされてもよい。
【００６１】
そして、サンプリング期間では、論理回路５５は、イネーブル信号ＥＮＢ１〜ＥＮＢ４とマスターイネーブル信号Ｍ−ＥＮＢとに応じてサンプリング回路駆動信号Ｓｉ（ｉ＝１、…、ｎ）を生成出力する。即ち、この期間のＯＲ回路５５Ｄは、プリチャージタイミング信号ＮＲＧが入力されないので、ＡＮＤ回路５５Ａが出力する一次整形信号Ｑｉ（ｉ＝１、…、ｎ）に対応して“Ｈｉｇｈ”を出力する。
【００６２】
プリチャージ期間では、データ線３と対向電極２１との間に生じる容量や、サンプリングスイッチ７１のトランジスタ容量及び画像信号線６の配線容量が、画像信号線６を通じて、充電又は放電される。そのため、プリチャージ後のデータ線３相互間の電位ばらつきは殆ど又は実践上全く問題となることは無くなる。その結果、後続するサンプリング期間でのデータ信号の書き込みばらつきが抑制され、表示斑が低減された高品位の表示が可能となる。
【００６３】
以上のＡＮＤ回路５５Ａにおける転送信号Ｐｉ（ｉ＝１、…、ｎ）の整形工程は、一次整形工程に過ぎず、続いてＡＮＤ回路５５Ｂにおける二次整形工程が行われる。
【００６４】
一次整形信号Ｑｉ（ｉ＝１、…、ｎ）の夫々は、ＡＮＤ回路５５Ｂにおいて、マスターイネーブル信号Ｍ−ＥＮＢとの論理積をとることによって、そのパルス幅がマスターイネーブル信号Ｍ−ＥＮＢのパルス幅ｄ２に制限される（即ち、マスターイネーブル信号Ｍ−ＥＮＢによって整形される）。ここで、パルス幅ｄ２は、本発明に係る「第２のパルス幅」の一例である。マスターイネーブル信号Ｍ−ＥＮＢは、イネーブル信号ＥＮＢ１〜ＥＮＢ４とは異なり、単一の系列からなることから、そのパルス幅ｄ２は常に一定とされる。また、パルス幅ｄ２は、パルス幅ｄ１より更に狭い。そのため、ＡＮＤ回路５５Ｂでは、一次整形信号Ｑ３のパルス幅ｄ１’もまたパルス幅ｄ２によって制限され、サンプリング回路駆動信号Ｓ３が生成出力される。
【００６５】
このように、一次整形信号Ｑｉ（ｉ＝１、…、ｎ）の各パルスは、単一のマスターイネーブル信号Ｍ−ＥＮＢの波形に基づいて整形されるので、生成出力されるサンプリング回路駆動信号Ｓｉ（ｉ＝１、…、ｎ）は、パルス幅がパルス幅ｄ２に揃えられる。即ち、論理回路５５では、最終的にパルス幅がパルス幅ｄ２に規定されたサンプリング回路駆動信号Ｓｉ（ｉ＝１、…、ｎ）が得られる。
【００６６】
サンプリング回路駆動信号Ｓｉ（ｉ＝１、…、ｎ）は、サンプリング回路７のサンプリングスイッチ７１群を駆動し、サンプリングスイッチ７１に画像信号線６から画像信号ＶＩＤを供給する。こうして画像信号ＶＩＤはサンプリングされるが、ここでサンプリング回路駆動信号Ｓｉ（ｉ＝１、…、ｎ）のパルス幅がパルス幅ｄ２に揃っているために、生成されるデータ信号のパルス幅もパルス幅ｄ２に規定されており、また一様に揃えられている。
【００６７】
データ信号は、各データ線３から選択画素列の画素電極９ａに印加され、また図示しない蓄積容量を充電又は放電して、データの書き込みを行う。その際、データ信号は、上述したようにパルス幅やパルス形状等が揃っているために輝度を相対的な適正値として表すことができ、表示像におけるパルス幅の差に基づく輝度斑の発生を低減或いは防止することができる。即ち、表示上の輝度は、画素電極９ａに供給されるデータ信号の高さ、幅、そして立ち上がり時及び立ち下がり時の歪み具合等によって左右されるからである。
【００６８】
本実施形態では、特に、一系列のマスターイネーブル信号Ｍ−ＥＮＢのパルス幅ｄ２は、パルス幅を４系列のイネーブル信号ＥＮＢ１〜ＥＮＢ４のパルス幅ｄ１で制限された転送信号Ｐｉ（ｉ＝１、…ｎ）を整形することから、４系列のイネーブル信号ＥＮＢ１〜ＥＮＢ４のパルス幅ｄ１よりも小さい。更に言えば、マスターイネーブル信号Ｍ−ＥＮＢは、例えば最終的なサンプリングパルスとしての整形後の転送信号Ｐｉ（ｉ＝１、…ｎ）、即ち、サンプリング回路駆動信号Ｓｉ（ｉ＝１、…、ｎ）と同一の周波数を備えている。即ち、マスターイネーブル信号Ｍ−ＥＮＢの周波数は、イネーブル信号ＥＮＢ１〜ＥＮＢ４や、その他の電源信号、各種制御信号などの低周波数の信号と比べて、かなり高い。従って、本実施形態に係る上述のようなイネーブル信号ＥＮＢ１〜ＥＮＢ４及びマスターイネーブル信号Ｍ−ＥＮＢを利用した構成の場合には、伝統的なイネーブル信号ＥＮＢ１〜ＥＮＢ４に相当するイネーブル信号のみを利用する構成と比較して、マスターイネーブル供給線９２及び画像信号線６間における寄生容量或いは容量カップリングによって、高周波数であるマスターイネーブル信号Ｍ−ＥＮＢが、同じく一般に高周波数である画像信号ＶＩＤに対するノイズ源として顕在化する恐れが非常に高い。或いは、高周波数である画像信号ＶＩＤが、同じく高周波数であるマスターイネーブル信号Ｍ−ＥＮＢに対するノイズ源として顕在化する恐れも非常に高い。そして、イネーブル信号ＥＮＢ１〜ＥＮＢ４は、４本のイネーブル供給線８１から供給され、マスターイネーブル信号Ｍ−ＥＮＢは、１本のマスターイネーブル供給線９２から供給され、画像信号ＶＩＤは、通常はそのシリアル−パラレル変換数或いは相展開数に等しい複数の画像信号線６から供給される。そして、これらを含む引回し配線は、限られたＴＦＴアレイ基板１０上の領域に近接して引き回されているので、配線が相互に接近する個所や、配線が交差する個所において、上述のような、マスターイネーブル信号Ｍ−ＥＮＢがノイズ源として顕在化する等のおそれが本質的に非常に高い。
【００６９】
図３に示すように、本実施形態では、特に、マスターイネーブル供給線９２は、ＴＦＴアレイ基板１０上で平面的に見て、外部回路接続端子１０２からデータ線駆動回路１０１の右側方へ引き回されており、画像信号線６は、外部回路接続端子１０２からデータ線駆動１０１の左側方へ引き回されている。従って、マスターイネーブル供給線９２及び画像信号線６間の寄生容量を低減すること、或いは殆ど又実践上全く無くすことが可能となる。従って、マスターイネーブル信号Ｍ−ＥＮＢが画像信号ＶＩＤに対するノイズ源となる事態や、画像信号ＶＩＤがマスターイネーブル信号Ｍ−ＥＮＢに対するノイズ源となる事態を効果的に未然防止することが可能となる。
【００７０】
以上の結果、本実施形態の電気光学装置によれば、イネーブル信号を極めて有効に利用しつつ、その欠点を極めて顕著に抑制することによって、最終的には、高品位の画像を表示可能となる。
【００７１】
図３において、更に、本実施形態では、イネーブル供給線８１は、マスターイネーブル供給線９２と同様に、平面的に見て、外部回路接続端子１０２ｅからデータ線駆動部の右側方へ引き回されている。従って、イネーブル供給線８１及び画像信号線６間の寄生容量を低減すること、或いは殆ど又実践上全く無くすことが可能となる。従って、イネーブル信号ＥＮＢ１〜ＥＮＢ４が画像信号ＶＩＤに対するノイズ源となる事態や、画像信号ＶＩＤがイネーブル信号ＥＮＢ１〜ＥＮＢ４に対するノイズ源となる事態を効果的に未然防止することが可能となる。
【００７２】
加えて、本実施形態では、画像信号線６は、複数の外部回路接続端子１０２のうち、イネーブル供給線８１及びマスターイネーブル供給線９２が接続されたイネーブル信号用端子１０２ｅ及び１０２ｍよりも左側に寄った画像信号用端子１０２ｖに接続されると共に、イネーブル供給線８１及びマスターイネーブル供給線９２と交差することなく引き回されている。
【００７３】
このように構成されているので、画像信号線６は、外部回路接続端子１０２からデータ線駆動回路１０１に至るまで、イネーブル供給線８１及びマスターイネーブル供給線９２のいずれとも交差せずに引き回されているので、比較的簡単な構成により、これらの配線間における寄生容量を極力低減することが可能となる。更に、画像信号線６、並びにイネーブル供給線８１及びマスターイネーブル供給線９２を夫々、不必要に長くしないで済み、それらの配線抵抗を下げることにも繋がる。
【００７４】
更にまた、本実施形態では、データ線駆動回路１０１は、ＴＦＴアレイ基板１０上において複数の画素部９ａが配列されてなる画像表示領域１０ａの周辺に位置する周辺領域のうち画像表示領域１０ａ及びＴＦＴアレイ基板１０の下辺間に位置する領域において、ＴＦＴアレイ基板１０の下辺に沿って配置されており、マスターイネーブル供給線９２は、右側方を介して、イネーブル供給線８１よりもデータ線駆動回路１０１における画像表示領域１０ａに近い部分へ引き回されている。
【００７５】
このように構成されているので、マスターイネーブル供給線９２を、外部回路接続端子１０２から、周辺領域にＴＦＴアレイ基板１０の下辺に沿って配置されたデータ線駆動回路１０１におけるイネーブル供給線８１よりも後段側にまで、画像信号ＶＩＤと交差しないように引き回すことが可能となる。よって、データ線駆動回路１０１において、サンプリング回路７をデータ線３が配線された画像表示領域１０ａに近い側に設け、マスターイネーブル信号Ｍ−ＥＮＢにより制限をかける個所をイネーブル信号ＥＮＢにより制限をかける個所よりも画像表示領域１０ａ或いはサンプリング回路７に近い側に設けるという構成を採用しているので、引回配線について極めて効率的な平面レイアウトを実現できる。
【００７６】
本実施形態では、イネーブル供給線８１は、ＴＦＴアレイ基板１０上で平面的に見て、画像信号線６及びマスターイネーブル供給線９２の間に配線されている。
【００７７】
このように構成されているので、４本あるイネーブル供給線８１の存在により、マスターイネーブル供給線９２及び画像信号線６間における、ＴＦＴアレイ基板１０面に沿った平面距離を長くすることができる。これにより、マスターイネーブル供給線９２及び画像信号線６間における寄生容量を低減できる。しかも、イネーブル信号ＥＮＢ１〜ＥＮＢ４は、マスターイネーブル信号Ｍ−ＥＮＢに比べて低周波数であるので、導電体であるイネーブル供給線８１を、マスターイネーブル供給線９２及び画像信号線間における一種の電磁シールドとして機能させることも可能であり、両者間で信号がノイズとして悪影響を及ぼしあう事態を一層効果的に防止可能となる。
【００７８】
更に、本実施形態では、引回配線のうち、一定電位である電源信号ＶＤＤＸ、ＶＳＳＸを供給するための電源配線やデータ線駆動回路１０１を制御するための制御信号ＤＸ（周波数は、例えば、４８．３６ＫＨｚ）等を供給するための制御配線、即ち、マスターイネーブル信号Ｍ−ＥＮＢ（周波数は、例えば、１１．２４ＭＨｚ）よりも低周波数の信号を供給するイネーブル供給線ＥＮＢ１〜ＥＮＢ４を除く低周波数配線８５は、ＴＦＴアレイ基板１０上で平面的に見て、画像信号線６及びイネーブル供給線８１の間に配線されている。
【００７９】
このように構成されているので、４本のイネーブル供給線８１に加えて、複数本ある低周波数配線８５の存在により、マスターイネーブル供給線９２及び画像信号線６間における、ＴＦＴアレイ基板１０面に沿った平面距離を長くすることができる。イネーブル供給線８１に加えて、このような低周波数配線８５の存在により、マスターイネーブル供給線及び画像信号線間における寄生容量を低減できる。しかも、低周波数配線８５をイネーブル供給線８１と共に、マスターイネーブル供給線９２及び画像信号線６間における一種の電磁シールドとして機能させることも可能であり、マスターイネーブル供給線９２及び画像信号線６間で信号がノイズとして悪影響を及ぼしあう事態を一層効果的に防止可能となる。特に、一定電位である電源信号ＶＤＤＸ、ＶＳＳＸを供給するための電源配線が、ＴＦＴアレイ基板１０上で平面的に見て、画像信号線６及びイネーブル供給線８１の間に配線されているので、マスターイネーブル供給線９２及び画像信号線６間における電磁シールドとして極めて有効に機能させることが可能となる。
【００８０】
加えて、本実施形態では、低周波数配線８５、イネーブル供給線８１及びマスターイネーブル供給線９２、並びに画像信号線６は、外部回路接続端子１０２からデータ線駆動回路１０１に至るまで、相互に交差することなく引き回されているので、比較的簡単な構成により、画像信号線６上の画像信号に対して、他の配線との寄生容量による悪影響が及ぶのを効果的に阻止できる。
【００８１】
更にまた、本実施形態では、イネーブル信号ＥＮＢ１〜ＥＮＢ４に比べて高周波数であるマスターイネーブル信号Ｍ−ＥＮＢを供給するためのマスターイネーブル供給線９２については、イネーブル供給線８１よりも低抵抗に構成されている。このため、高周波数であるが故に、信号遅延や信号なまりの悪影響が顕在化し易いマスターイネーブル信号Ｍ−ＥＮＢにおける該信号遅延や信号なまりを相対的に低減することが可能となる。尚、本実施形態では、イネーブル供給線８１及びマスターイネーブル供給線９２は、ＴＦＴアレイ基板１０上に形成された同一の導電層から形成されていてもよく、この場合には例えば、マスターイネーブル供給線９２の配線幅を、イネーブル供給線８１のそれより太くしてもよい。或いは、イネーブル供給線８１及びマスターイネーブル供給線９２は、ＴＦＴアレイ基板１０上に形成された相異なる導電層から形成されていてもよく、この場合には例えば、マスターイネーブル供給線９２の厚みを、イネーブル供給線８１のそれより厚くしてもよい。更に、このようなイネーブル供給線８１及びマスターイネーブル供給線９２を形成する導電層は、一方のみが又は両方共に、単一層構造を有してもよいし、多層構造を有してもよい。
【００８２】
（第２実施形態）
第２実施形態に係る電気光学装置について、図７を参照して説明する。ここに図７は、第２実施形態における図３と同趣旨の図である。尚、図７において、図３に示した第１実施形態に係る構成要素と同様の構成要素に同一の参照符合を付し、それらの説明は適宜省略する。
【００８３】
図７において、第２実施形態では、引回配線のうち、一定電位である電源信号ＶＤＤＸ、ＶＳＳＸを供給するための電源配線やデータ線駆動回路１０１を制御するための制御信号ＤＸ（周波数は、例えば、４８．３６ｋＨｚ）を供給するための制御配線、即ち、マスターイネーブル信号Ｍ−ＥＮＢ（周波数は、例えば、１１．２４ＭＨｚ）よりも低周波数の信号を供給するイネーブル供給線８１を除く低周波数配線８５は、ＴＦＴアレイ基板１０上で平面的に見て、画像信号線６及びマスターイネーブル供給線９２の間に配線されている。
【００８４】
このように構成されているので、複数本ある低周波数配線８５の存在により、マスターイネーブル供給線９２及び画像信号線６間における、ＴＦＴアレイ基板１０面に沿った平面距離を長くすることができる。このような低周波数配線８５の存在により、マスターイネーブル供給線９２及び画像信号線６間における寄生容量を低減できる。しかも、低周波数配線８５を、マスターイネーブル供給線９２及び画像信号線６間における一種の電磁シールドとして機能させることも可能であり、両者間で信号がノイズとして悪影響を及ぼしあう事態を一層効果的に防止可能となる。
【００８５】
（電子機器）
次に、上述した電気光学装置である液晶装置を各種の電子機器に適用する場合について説明する。
【００８６】
まず、この液晶装置をライトバルブとして用いたプロジェクタについて説明する。図８は、プロジェクタの構成例を示す平面図である。この図８に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００８７】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００８８】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００８９】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００９０】
次に、液晶装置を、モバイル型のパーソナルコンピュータに適用した例について説明する。図９は、このパーソナルコンピュータの構成を示す斜視図である。図９において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００９１】
さらに、液晶装置を、携帯電話に適用した例について説明する。図１０は、この携帯電話の構成を示す斜視図である。図１０において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００９２】
尚、図８から図１０を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００９３】
本発明は、上述した実施形態に限られるものではなく、請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【図面の簡単な説明】
【００９４】
【図１】第１実施形態に係る電気光学装置の全体構成を示す平面図である。
【図２】図１のＨ−Ｈ’断面図である。
【図３】第１実施形態に係る電気光学装置のＴＦアレイ基板上の回路構成を示す平面図である。
【図４】第１実施形態に係る電気光学装置の主要な駆動系の構成を示すブロック図である。
【図５】変形例に係る図４と同趣旨の図である。
【図６】第１実施形態に係る電気光学装置の駆動方法を説明するためのタイミングチャートである。
【図７】第２実施形態に係る図３と同趣旨の図である。
【図８】電気光学装置を適用した電子機器の一例たるプロジェクタの構成を示す平面図である。
【図９】電気光学装置を適用した電子機器の一例たるパーソナルコンピュータの構成を示す斜視図である。
【図１０】電気光学装置を適用した電子機器の一例たる携帯電話の構成を示す斜視図である。
【符号の説明】
【００９５】
２…走査線、３…データ線、６…画像信号線、７…サンプリング回路、１０…ＴＦＴアレイ基板、９ａ…画素電極、１０ａ…画像表示領域、２０…対向基板、２１…対向電極、５０…液晶層、５１…シフトレジスタ、５２…シール材、５３…額縁遮光膜、５５…論理回路、５５Ａ、５５Ｂ…ＡＮＤ回路、５５Ｄ…ＯＲ回路、７１…サンプリングスイッチ、８３…プリチャージタイミング信号供給線、８５…低周波数配線、９２…マスターイネーブル供給線、１０１…データ線駆動回路、１０２…外部回路接続端子、１０２ｍ、１０２ｅ…イネーブル信号用端子、１０２ｖ…画像信号用端子、１０４…走査線駆動回路、１０６…上下導通端子、ｄ１、ｄ２…パルス幅、ＥＮＢ１〜ＥＮＢ４…イネーブル信号、Ｍ−ＥＮＢ…マスターイネーブル信号、ＮＲＧ…プリチャージタイミング信号、Ｐｉ…転送信号、Ｑｉ…一次整形信号、Ｓｉ…サンプリング回路駆動信号、ＶＩＤ…画像信号
【図１】
2006220979.tif 000003
【図２】
2006220979.tif 000004
【図３】
2006220979.tif 000005
【図４】
2006220979.tif 000006
【図５】
2006220979.tif 000007
【図６】
2006220979.tif 000008
【図７】
2006220979.tif 000009
【図８】
2006220979.tif 000010
【図９】
2006220979.tif 000011
【図１０】
2006220979.tif 000012